(57)【要約】      （修正有）【課題】自転車で外出する場合には、確実に携帯されることになる防犯ブザーを提供する。【解決手段】鍵穴へ挿入されて自転車錠を開錠・施錠ならしめる挿入部１０と、これに連結されたツマミ部２とを有し、外部操作により警報音を発する警報音発生手段４２を前記ツマミ部２内に収容させて成る。ツマミ部２には、警報音を効率良く外部に発するようにするための、音口部２０を形成してある【選択図】図２
0003121986.tif 000002
【実用新案登録請求の範囲】
【請求項１】
鍵穴へ挿入されて自転車錠を開錠・施錠ならしめる挿入部と、これに連結されたツマミ部とを有する防犯ブザーであって、外部操作により警報音を発する警報音発生手段を前記ツマミ部内に収容させてあることを特徴とする防犯ブザー。
【請求項２】
ツマミ部には、警報音を効率良く外部に発するようにするための、音口部を形成してあることを特徴とする請求項１記載の防犯ブザー。
【請求項３】
ツマミ部と挿入部を脱着可能とし、挿入部からツマミ部を離脱させるという外部操作をした時に、警報音発生手段から警報音を発生するようにしてあることを特徴とする請求項１又は２記載の防犯ブザー。
【考案の詳細な説明】
【技術分野】
【０００１】
この考案は、非常事態を周囲の人々に知らせると共に、犯人に対して威嚇する防犯ブザーに関するものである。
【背景技術】
【０００２】
近年、通学時における児童を対象とした凶悪犯罪が増加していることから、学校側としてもこれを真剣にとらえ、防犯ブザーを通学における必須携帯品（ランドセルに取り付ける）としているところも増えてきている。
【０００３】
前記防犯ブザーは、危険な状況を察知して、児童が紐を引く等の外部操作をすると、大音量の警報音を発するものであるが、この警報音は非常事態を周囲の人々に知らせると共に、犯人に対して威嚇することができるので、身の安全を確保することが可能である。
【０００４】
前記した如く児童は通学時には防犯ブザーにより守られることになるが、帰宅後、再び外出する際に、防犯ブザーを携帯するのを忘れることがあり、無防備な状況になることが考えられる。さらに、最近の児童は外出する際に自転車を使用することが多く、禁止されている校区外へ遠出などを行う可能性もあり、通学途中や下校時以上に危険度合いが増すと考えられる。
なお、上記のような問題は防犯ブザーを携帯している女性においてもほぼ同様のことが言える。
［特許文献１］特開２００１−２７５７３２号公報
【考案の開示】
【考案が解決しようとする課題】
【０００５】
そこで、この考案では、自転車で外出する場合には、確実に携帯されることになる防犯ブザーを提供することを課題とする。
【課題を解決するための手段】
【０００６】
（請求項１記載の考案）
この考案は、鍵穴へ挿入されて自転車錠を開錠・施錠ならしめる挿入部と、これに連結されたツマミ部とを有する防犯ブザーであって、外部操作により警報音を発する警報音発生手段を前記ツマミ部内に収容させてある。
（請求項２記載の考案）
この考案の防犯ブザーは、上記請求項１記載の考案に関し、ツマミ部には、警報音を効率良く外部に発するようにするための、音口部を形成してある。
（請求項３記載の考案）
この考案の防犯ブザーは、上記請求項１又は２記載の考案に関し、ツマミ部と挿入部を脱着可能とし、挿入部からツマミ部を離脱させるという外部操作をした時に、警報音発生手段から警報音を発生するようにしてある。
【考案の効果】
【０００７】
この考案の防犯ブザーは、自転車で外出する場合には、確実に携帯されることになる。
【考案を実施するための最良の形態】
【０００８】
以下にこの考案の防犯ブザーを実施するための最良の形態として実施例について詳しく説明する。
【実施例１】
【０００９】
図１は防犯ブザー１の使用例の斜視図、図２はこの考案の実施例１の防犯ブザー１の斜視図、図３のツマミ部２を分解した状態の斜視図を示している。
（この考案の実施例の基本的構成について）
この防犯ブザー１は、図１に示すように、鍵穴７０へ挿入されて自転車錠７を開錠・施錠ならしめる挿入部１０と、これに連結されたツマミ部２とを有し、外部操作により警報音を発する警報音発生手段４２を前記ツマミ部２内に収容させて成る。なお、この実施の防犯ブザー１は、危険に遭遇した際に紐６を引いて操作部５を操作すると、警報音を発するものとしてある。
【００１０】
挿入部１０は、図２に示すように、取付部１１と一体となっており、取付部１１をツマミ部２に形成された取付部挿入孔２１に挿入することによって、ツマミ部２と連結される。取付部１１とツマミ部２の固定手段は挿入のみではなく、ネジ止め、接着、などを適宜なし得る事項である。挿入部１０はディスクタンブラー錠であるが、自転車の盗難防止に使用される錠前の鍵穴７０に挿入されるものであればよく、適宜なし得る事項である。
【００１１】
ツマミ部２は、図２に示すように、警報音を効率よく発するようにするための音口部２０と、操作部５を挿通させる為の操作部用孔２２が形成されおり、ブザーケース上３とブザーケース下４を合わせることによって組み立てられ、警報音発生手段４２を内蔵する。
【００１２】
警報音発生手段４２は、例えば特開２００５−２２８１８６に記載されているものが使用できるが、警報を発生させる装置であれば何でも良い。  
（実施例１における警報音発生手段４２について）
ツマミ部２は、図３に示すように、上部ブザーケース３と下部ブザーケース４によって形成された空間に警報音発生手段４２を設置している。
【００１３】
上部ブザーケース３は、操作部用溝３０と、係止爪３１と、ケース取付けネジ３２と、ケース取付けネジ孔３３とで構成されており、下部ブザーケース４は、操作部用溝４０と、係止溝４１と、警報音発生手段４２と、電池４３と、電池ホルダ４４と、取付けネジ４５と、ケース取付ネジ４６で構成されている。
【００１４】
上部ブザーケース３と下部ブザーケース４から成る防犯ブザー１側は、係止爪３１と係止溝４１の嵌合によって固定され、上部ブザーケース３と下部ブザーケース４から成る操作部５側は、ケース取付けネジ孔３３を挿通したケース取付けネジ３２がケース取付けネジ孔４６に螺合されることによって固定される。操作部用孔２２は操作部用溝３０と操作部用溝４０によって形成され、操作部５は操作部用孔２２を挿通している。
【００１５】
電池４３は電池ホルダ４４によって警報音発生手段４２に固定され、電池４３の交換時は電池ホルダ４４を取り外すことが可能である。
【００１６】
警報音発生手段４２は、警報音発生手段の取付けネジ４５によって下部ブザーケース４に取り付けられており、図３に図示されていない警報音発生手段４２の裏側には、警報音を発生するスピーカとブザー回路が構成されている。
【００１７】
紐６を引くことによって、操作部５がＯＮになると、電池４３からの電流が警報音発生手段４２に構成されたブザー回路に流れ、警報音発生手段４２に配置されたスピーカによって警報音が発生し、音口部２０を通過して警報音が鳴り響く様に構成されている。
（この防犯ブザーが奏する効果について）
上記の構成により、学校から帰宅後の児童が自転車で外出する際、確実に防犯ブザー１を携帯させておく事が可能である。
【００１８】
また、自転車錠７の鍵穴７０に防犯ブザー１を挿入することによって、この防犯ブザー１は、自転車の運転中に危険にさらされた場合や、思わぬ事件に巻き込まれた場合においても、警報音を発生させることが可能となり、自転車から降車した時も、児童に防犯ブザーを常に身に着けさせることが可能となる。
（その他の形態について）
上記実施例では、操作部５は紐を引く態様のものであるが、  図４に示すように操作部５が押しボタン式であっても良い。
【００１９】
この防犯ブザーは児童だけでなく、女性も利用できる。
【実施例２】
【００２０】
図５は挿入部１０とツマミ部２が脱着可能な防犯ブザー１の斜視図を示している。
（この防犯ブザー１の基本的構成について）
上記実施例１の防犯ブザー１は、ツマミ部２から紐を引くか又はツマミ部２に設けた押しボタンを押す操作をすることにより警報音を発するものとしてあるが、この実施例２の防犯ブザー１ではツマミ部２に対して鍵本体Ｋを挿入・離脱可能とし、前記「挿入」時には警報音を発せず、「離脱」時には警報音を発するようにしてある。
（この防犯ブザー１の具体的構成について）
この防犯ブザーは、挿入部１０と取付部１１とが一体となった鍵本体Ｋと、ツマミ部２から構成されている。
【００２１】
取付部１１は、その両側面にそれぞれ係止溝１３，１３が形成されており、前記係止溝１３，１３相互は対向する位置関係にあるものとしてある。
【００２２】
ツマミ部２内には、警報音発生手段４２を設けてあると共に、前記警報音発生手段４２と反対側位置に開放する直方体状の空間２５を設けてあり、更に、前記空間２５内には前記警報音発生手段４２のスイッチ５０をバネ付勢する態様で、空間２５を構成する底壁面２６から貫通突出させてある。なお、上記スイッチ５０は、空間２５の底壁面２６内に押し込まれて警報音発生手段４２がＯＦＦ状態に、空間２５の底壁面２６から突出して警報音発生手段４２がＯＮ状態になるようにしてある。
【００２３】
前記空間２５には、これを構成する底壁面２６及び両側壁面２７，２７に沿う態様で、断面コ字形状の板バネ２３が抜け止め状態に収容されている。ここで、前記板バネ２３は、両側壁面２７，２７と沿う一対の横部材２３ａ，２３ａと、底壁面２６と沿う繋ぎ部材２３ｂとから構成されており、前記繋ぎ部材２３ｂには上記スイッチ５０が遊貫する孔を形成して成る。また、横部材２３ａは、長手方向中程に相当する箇所を湾曲させることによって、内方に突出する係止部２３ｃを設けてある。
【００２４】
次に、この防犯ブザー１では、上記した取付部１１を空間２５内に挿入していくと、前記空間２５内に抜け止め状態に収容させた板バネ２３内に差し込まれることになるが、取付部１１の挿入端部でスイッチ５０が押し込まれて警報音発生手段４２がＯＦＦ状態となったときに、取付部１１の係止溝１３，１３内に板バネ２３の係止部２３ｃ，２３ｃが嵌まり込んで、鍵本体Ｋとツマミ部２とが係止状態となるようにしてある。なお、この防犯ブザー１では前記構成により、鍵本体Ｋとツマミ部２が不用意に離脱することは起こり得ない（警報音が非発生状態）が、両者間に一定以上の離脱力が作用すると板バネ２３の係止部２３ｃ，２３ｃが弾性変形して鍵本体Ｋとツマミ部２が離脱することとなり、警報音発生手段４２がＯＮ状態（警報音が発生状態）となるようにしてある。
（この防犯ブザーが奏する効果について）
実施例１の防犯ブザー１では、自転車錠７が開錠時は、挿入部１０と鍵穴７０は外れない態様で取り付けられているので、通常鍵は抜けない。したがって、自転車の乗車時に児童が連れ去られる直前において、たとえ児童が紐を引いたとしても、児童と共に防犯ブザーは移動しない。つまり、防犯ブザーは自転車に残ったままで、警報音を発しているだけであるから、効果は半減したものとなっている。
【００２５】
これに対して、実施例２の防犯ブザー１では、児童が連れ去られる際に紐６を引っ張ると、自転車錠７に鍵本体Ｋが残った状態でツマミ部２のみが離脱し、警報音発生手段４２から警報音が発せられる。したがって、児童は警報音を発しているツマミ部２と共に移動することとなるので、児童が連れ去られた場所にかかわらず、児童に危険が及んでいることを周囲に知らせると共に、犯人にとっての威嚇が続くことになる。
【図面の簡単な説明】
【００２６】
【図１】この発明の実施例１の防犯ブザーの使用例の斜視図
【図２】前記実施例１の防犯ブザーを示した全体斜視図。
【図３】前記実施例１の防犯ブザーを分解した状態の斜視図。
【図４】実施例１に類する防犯ブザーを示した全体斜視図。
【図５】この発明の実施例１の防犯ブザーの使用例の斜視図
【符号の説明】
【００２７】
１      防犯ブザー
１０    挿入部
２      ツマミ部
２０    音口部  
４２    警報音発生手段
５      操作部
６      紐
７０    鍵穴
【図１】
0003121986.tif 000003
【図２】
0003121986.tif 000004
【図３】
0003121986.tif 000005
【図４】
0003121986.tif 000006
【図５】
0003121986.tif 000007